(57)【要約】【課題】落とし棒が床の凹部に十分に挿入されない場合であっても、確実に中柱を固定し、中柱の外れを防止することができる固定装置を提供する。【解決手段】弾性材の付勢部材２２は、ケース２１の上壁及び下壁に固定され、その間に張架されている。また、付勢部材２２には第１規制部２３及び第２規制部２４となる突起が形成されている。落とし棒１２の突起３１が第１規制部２３より下に存在する場合、第１規制部２３が落とし棒１２の上への移動を規制する。それとともに、ケース２１の下壁に固定された部分から第１規制部２３まで凸の円弧状部分が下部付勢部２５となり、落とし棒１２の突起３１に対して下方への力を加える。これらにより、落とし棒１２が浮き上がろうとする場合でも、これを抑えて床面４の凹部５との嵌合が解除されて中柱が外れる不具合を防止する。【選択図】図１
2018071226.tif 000002
【特許請求の範囲】
【請求項１】
連接されるシャッターの間に設けられる中柱を床に固定する固定装置において、中柱を固定する際に下方へ移動させて床に設けられた凹部に嵌合させる落とし部材と、前記落とし部材を所定の第１の位置より下方へ移動させると前記落とし部材に下方への力を加える付勢手段と、前記落とし部材が所定の第２の位置より下方へ移動した場合に前記第２の位置より上への移動を規制する規制手段を有することを特徴とする固定装置。
【請求項２】
前記付勢手段は、前記落とし部材を所定の第３の位置より上方へ移動させると前記落とし部材に上方への力を加えることを特徴とする請求項１に記載の固定装置。
【請求項３】
前記付勢手段における第１の位置と第３の位置は、ほぼ同じ位置であることを特徴とする請求項２に記載の固定装置。
【請求項４】
前記規制手段は、前記落とし部材が所定の第４の位置より上方へ移動した場合に前記第４の位置より下への移動を規制することを特徴とする請求項１ないし請求項３のいずれか１項に記載の固定装置。
【請求項５】
前記付勢手段には弾性材が用いられていることを特徴とする請求項１ないし請求項４のいずれか１項に記載の固定装置。
【請求項６】
さらに、前記弾性材の変形を抑止する抑止手段を有することを特徴とする請求項５に記載の固定装置。
【請求項７】
前記第２の位置は、床に設けられている前記凹部に前記落とし部材が係止できる位置であることを特徴とする請求項１ないし請求項６のいずれか１項に記載の固定装置。
【請求項８】
前記落とし部材には、少なくとも前記第２の位置まで押し下げられたか否かを示す表示がなされていることを特徴とする請求項１ないし請求項７のいずれか１項に記載の固定装置。
【発明の詳細な説明】
【技術分野】
【０００１】
本発明は、複数のシャッターを連接する際に、それぞれのシャッターの間に設けられる中柱を床に固定する固定装置に関するものである。
【背景技術】
【０００２】
複数のシャッターを連接する場合、それぞれのシャッターの間に中柱を建て、その中柱の左右をガイドとして、それぞれのシャッターの上げ下ろしを行う。中柱を建てて床に固定するため、中柱には固定装置が設けられている。この固定装置には落とし棒が設けられており、この落とし棒を床に設けられている凹部に嵌合させ、中柱を床に固定している。しかし、シャッターが風圧を受けたり、地震などの過度の振動が加わると、落とし棒が浮き上がって床の凹部から外れてしまうという不具合が生じることがあった。
【０００３】
このような問題を解決するため、例えば特許文献１や特許文献２では、落とし棒の２カ所に凹部を形成しておき、落とし棒を床の凹部に嵌合させた状態と、落とし棒を引き抜いた状態の場合に、落とし棒の凹部にボール体が嵌合して落とし棒の動作を規制するように構成している。これにより、振動などが加わった場合でも落とし棒を床の凹部へ嵌合させた状態が維持され、中柱が外れるなどの不具合を防止することができる。なお、このような構成とともに、特許文献１ではシャッターを閉めた際にシャッターの座板の端部が当たり板の上に乗って落とし棒が動かないようにしている。また、特許文献２では落とし棒に設けられている当たり金具が連動部材に当接し、連動部材をシャッターカーテンにより動きを規制することによって、落とし棒が床の凹部に嵌合した状態が維持されるようにしている。
【０００４】
これらの技術はボール体が落とし棒の凹部に嵌合するまで、落とし棒が床の凹部に挿入されることが前提である。しかし、床の凹部にはゴミやホコリなどが滞留しやすく、この凹部にゴミなどが溜まってしまうと、床の凹部に落とし棒を十分に挿入しきれない場合がある。そのような状況では、落とし棒と床の凹部との嵌合が不十分であるとともに、ボール体と落とし棒の凹部との嵌合も不十分であったり、嵌合していない状態となる場合があった。このような状態で使用すると、固定装置が機能せず、中柱が外れてしまうなどの不具合が生じてしまう。
【０００５】
一方、特許文献３に記載されているシャッターの中柱施錠装置では、ケース内に軸支された回動板を有し、この回動板を落とし棒に係止するとともにコイルバネに係止した構成が記載されている。この構成では、落とし棒がある点よりも下げられると下向きに付勢され、ある点よりも上げられると上向きに付勢される。そのため、落とし棒をある点よりも下げれば、床の凹部に多少のゴミなどが溜まっていても落とし棒は下向きに付勢されて、床の凹部と落とし棒との嵌合が維持される。これによって、中柱が外れる不具合を回避することができる。しかし、この技術においては、落とし棒を付勢するのに回動板を用いるなど部品点数が多く、コストが増加するなど、種々の問題があった。
【先行技術文献】
【特許文献】
【０００６】
【特許文献１】特開平０５−２８７９７２号公報
【特許文献２】特開２００５−０４８５０８号公報
【特許文献３】特開平０６−２３５２８３号公報
【発明の概要】
【発明が解決しようとする課題】
【０００７】
本発明は、上述した事情に鑑みてなされたもので、落とし棒が床の凹部に十分に挿入されない場合であっても、確実に中柱を固定し、中柱の外れを防止することができる固定装置を提供することを目的とするものである。
【課題を解決するための手段】
【０００８】
本発明は、連接されるシャッターの間に設けられる中柱を床に固定する固定装置において、中柱を固定する際に下方へ移動させて床に設けられた凹部に嵌合させる落とし部材と、前記落とし部材を所定の第１の位置より下方へ移動させると前記落とし部材に下方への力を加える付勢手段と、前記落とし部材が所定の第２の位置より下方へ移動した場合に前記第２の位置より上への移動を規制する規制手段を有することを特徴とする固定装置である。前記第２の位置は、例えば、床に設けられている前記凹部に前記落とし部材が係止できる位置である。
【０００９】
前記付勢手段には、さらに、前記落とし部材を所定の第３の位置より上方へ移動させると前記落とし部材に上方への力を加えるように構成するとよい。この場合、第１の位置と第３の位置は、ほぼ同じ位置であってもよい。
【００１０】
また、前記規制手段として、前記落とし部材が所定の第４の位置より上方へ移動した場合に前記第４の位置より下への移動を規制するように構成してもよい。
【００１１】
前記付勢手段として弾性材を用いることができ、その場合、さらに、前記弾性材の変形を抑止する抑止手段を設けるとよい。
【００１２】
前記落とし部材には、少なくとも前記第２の位置まで押し下げられたか否かを示す表示がなされているとよい。
【発明の効果】
【００１３】
本発明によれば、落とし部材を床の凹部に嵌合させる際に、例えば凹部にゴミなどが堆積した場合でも、落とし部材を第１の位置よりも下方へ移動させれば付勢手段によって下方への力が付勢され、落とし部材が凹部から抜けるのを防ぐことができる。さらに、風圧や水圧などで強い振動や力が加えられた場合でも、規制手段が第２の位置よりも上への落とし部材の移動を規制することから、たとえ付勢手段による下方への付勢力以上の力がかかっても、落とし部材が床の凹部から抜けて中柱が外れることはない。
【００１４】
さらに、落とし部材を所定の第３の位置より上方へ移動させると付勢手段が落とし部材に上方への力を加えるように構成すると、落とし棒を引き上げて床面への固定を解除した場合に、落とし棒が引き上げられた状態から下降することがなく、中柱の取り外し及び装着を阻害することがない。さらに、落とし部材が所定の第４の位置より上方へ移動した場合に、規制手段が第４の位置より下への移動を規制するように構成すると、落とし棒が引き上げられた状態からの下降を防止することができる。
【００１５】
付勢手段として弾性材を用いることによって、下方への付勢力、さらには上方への付勢力を容易に得ることができる。さらに、前記弾性材の変形を抑止する抑止手段を設けておけば、落とし部材を下方へ移動した状態、あるいはさらに落とし部材を上方へ移動した状態で、弾性材自体でも落とし部材の移動を規制することができ、落とし部材が床の凹部から外れてしまう事態を、より強固に防ぐことができる。
【００１６】
落とし部材に、少なくとも前記第２の位置まで押し下げられたか否かを示す表示を設けておくと、落とし部材が床の凹部に嵌合していること、あるいは嵌合が不完全であることを、操作者が目視することができ、より確実な落とし部材の操作を行うことができる。
【図面の簡単な説明】
【００１７】
【図１】本発明の固定装置の第１の実施の形態を示す構成図である。
【図２】本発明の固定装置を含むシャッターの一例を示す構成図である。
【図３】本発明の固定装置を含む中柱の下部の拡大図である。
【図４】本発明の固定装置の第１の実施の形態における動作の一例の説明図である。
【図５】本発明の固定装置の第１の実施の形態における動作の一例の説明図（続き）である。
【図６】本発明の固定装置の第２の実施の形態を示す構成図である。
【図７】本発明の固定装置の第２の実施の形態における動作の一例の説明図である。
【図８】本発明の固定装置の第２の実施の形態における動作の一例の説明図（続き）である。
【図９】本発明の固定装置の第３の実施の形態を示す構成図である。
【図１０】本発明の固定装置の第４の実施の形態を示す構成図である。
【発明を実施するための形態】
【００１８】
図１は、本発明の固定装置の第１の実施の形態を示す構成図、図２は、本発明の固定装置を含むシャッターの一例を示す構成図、図３は、本発明の固定装置を含む中柱の下部の拡大図である。図中、１はシャッターカーテン、２はガイドレール、３は中柱、４は床面、５は凹部、１１は固定装置、１２は落とし棒、１３はつまみ、２１はケース、２２は付勢部材、２３は第１規制部、２４は第２規制部、２５は下部付勢部、２６は上部付勢部、２７は抑止部、３１は突起、３２は挿入表示部、３３は抑止部材、４１は最下位置、４２は下部位置、４３は上部位置、４４は最上位置である。
【００１９】
シャッターは開口部に設けられるが、開口部の幅が広い場合、複数のシャッターを連接することになる。図２には一例として２つのシャッターを連接した例を示している。もちろん、３以上が連接される場合もある。各シャッターカーテン１の開口部側壁側にはガイドレール２が設けられている。また、シャッターカーテン１の間には、中柱３が取り外し自在に設置されている。中柱３のシャッターカーテン１側（両側）にはガイドレール２と同様にシャッターカーテン１をガイドする溝が上下方向に設けられており、シャッターカーテン１は、ガイドレール２と中柱３との間を上昇、下降する。
【００２０】
中柱３の下部には、中柱３を床面４に固定するための固定装置１１が設けられている。また、図３に一例を示すように、床面４には凹部５が設けられている。中柱３を所定の位置に建てた後、固定装置１１の落とし棒１２を下方へ移動させて床面４の凹部５に挿入し、嵌合させることにより、中柱３が床面４に固定される。
【００２１】
固定装置１１の第１の実施の形態を図１に示している。固定装置１のケース２１内には付勢部材２２が設けられている。付勢部材２２は弾性材であり、この例では板バネで形成されている。付勢部材２２の端部はケース２１の上壁及び下壁に固定され、その間に張架されている。また、付勢部材２２には第１規制部２３及び第２規制部２４となる突起が形成されている。ケース２１の下壁に固定された部分から第１規制部２３まで凸の円弧状に形成され、この部分が下部付勢部２５となる。また、ケース２１の上壁に固定された部分から第２規制部２４まで凸の円弧状に形成され、この部分が上部付勢部２６となる。さらに、第１規制部２３から第２規制部２４までは凹状の円弧状に形成されており、この部分が抑止部２７となる。
【００２２】
下部付勢部２５は、落とし棒１２を下部位置４２より下方へ移動させると、落とし棒１２に下方への力を加える。また第１規制部２３は、落とし棒１２が下部位置４２より下方へ移動した場合に、この下部位置４２より上への落とし棒１２の移動を、下部付勢部２５より強い弾性力で規制する。なお、下部位置４２は、落とし棒１２を床面４に設けられている凹部５に最も深く挿入された状態の位置である最下位置４１よりも上の位置であり、ゴミなどが凹部５に溜まっている場合でも落とし棒１２が凹部５と係止され、振動などが加えられても凹部５から外れない位置に設定するとよい。この例においては、この下部位置４２が、第１規制部２３が落とし棒１２の上への移動を規制する位置であり、かつ、下部付勢部２５によって下方向へ力を加える上限位置となる。
【００２３】
上部付勢部２６は、落とし棒１２を上部位置４３より上方へ移動させると、落とし棒１２に上方への力を加える。また第２規制部２４は、落とし棒１２が上部位置４３より上方へ移動した場合に、この上部位置４３より下への落とし棒１２の移動を、上部付勢部２６より強い弾性力で規制する。なお、上部位置４３は、落とし棒１２が床面４に設けられている凹部５から外れた状態の位置であり、中柱３を取り外すのに支障がない位置とすればよい。この上部位置４３は、落とし棒１２を最も引き上げた状態の位置である最上位置４４よりも下の位置であってよい。この例においては、この上部位置４３が、第２規制部２４が落とし棒１２の下への移動を規制する位置であり、かつ、上部付勢部２６によって上方向へ力を加える下限位置となる。
【００２４】
落とし棒１２には、突起３１が設けられている。この突起３１が落とし棒１２の上下動とともに上下に移動することになる。上述の付勢部材２２に設けられている第１規制部２３及び第２規制部２４が、落とし棒１２に設けられている突起３１の移動経路上となるように、付勢部材２２が配置される。
【００２５】
落とし棒１２の先端が下部位置４２にあるとき、突起３１が第１規制部２３の凸部の位置あるいは突起３１が第１規制部２３の下面に当接する位置にあるようにする。また、落とし棒１２の先端が上部位置４３にあるとき、突起３１が第２規制部２４の凸部の位置あるいは突起３１が第２規制部２４の上面に当接する位置にあるようにする。
【００２６】
突起３１の形状は任意であるが、例えば円柱形状の場合には、円柱の中心位置が第１規制部２３の凸部の位置よりも多少下の位置となれば、付勢部材２２の弾性力により第１規制部２３の凸部が突起３１の円柱面を滑るように押し出されるとともに突起３１が下方向に付勢される。さらに、突起３１が第１規制部２３の下面に当接する位置以下の位置にあり、付勢部材２２の下部付勢部２５と突起３１が当接する状態で、付勢部材２２の弾性力により突起３１が下方向への力を受け、従って落とし棒１２が下方向への力を受ける。これによって、落とし棒１２が床面４の凹部５に挿入しきれていない場合でも、下向きの付勢力によって、落とし棒１２が凹部５から抜けにくくしている。さらに、下部付勢部２５による下向きの力に抗して落とし棒１２が浮き上がろうとすると、第１規制部２３によって突起３１の上方への移動が規制され、落とし棒１２の凹部５からの抜けを防ぐ。
【００２７】
また、突起３１の円柱形状の中心位置が第２規制部２４の凸部の位置よりも多少上の位置となれば、付勢部材２２の弾性力により第２規制部２４の凸部が突起３１の円柱面を滑るように押し出されるとともに突起３１が上方向に付勢されることになる。さらに、突起３１が第２規制部２４の上面に当接する位置以上の位置にあり、付勢部材２２の上部付勢部２６と突起３１が当接する状態では、付勢部材２２の弾性力により突起３１が上方向への力を受け、従って落とし棒１２が上方向への力を受ける。これによって、落とし棒１２は引き抜いた状態が維持されることになる。さらに、第２規制部２４によっても、落とし棒１２が下方へ移動するのを規制し、不用意に落とし棒１２が下方へ移動するのを防いでいる。
【００２８】
なお、上述のように付勢部材２２は弾性材で形成されていることから、ある程度の力を加えて落とし棒１２を上げ、あるいは下げれば、突起３１は第１規制部２３あるいは第２規制部２４を押しやり、第１規制部２３あるいは第２規制部２４の凸部を通過することができる。
【００２９】
上述のように突起の形状は任意であり、例えば突起３１の断面形状が付勢部材２２側に凸の形状を有していれば、上述の円柱形状の場合と同様に動作する。また、突起３１の形状が、例えば付勢部材２２側に平面を有する形状の場合には、当該平面に第１規制部２３や第２規制部２４の凸部が当接している状態では落とし棒１２には下向きあるいは上向きの力は付勢されず、第１規制部２３の下面と当接する位置あるいは第２規制部２４の上面と当接する位置で下方向または上方向に付勢されることになる。このような場合には、落とし棒１２の先端が下部位置４２にあるとき、突起３１が第１規制部２３の下面に当接する位置にあるようにする。また、落とし棒１２の先端が上部位置４３にあるとき、突起３１が第２規制部２４の上面に当接する位置にあるようにするとよい。
【００３０】
落とし棒１２には、この例ではさらに挿入表示部３２が形成されている。落とし棒１２を上方へ移動した状態で、挿入表示部３２はケース２１の上部に露出され、目視されることで固定されていない状態であることを示している。また、落とし棒１２を下方へ移動すると、挿入表示部３２がケース２１によって隠されてゆく。例えば、落とし棒１２が床面４に設けられている凹部５に挿入され、下部位置４２あるいは最下位置４１まで挿入されて中柱３が固定された状態で、挿入表示部３２がケース２１に隠されるように、挿入表示部３２を形成しておくとよい。なお、挿入表示部３２の表示方法としては、例えば着色しておいたり、表面加工を他の部分と異ならせておいたり、刻みにより位置を表示するなど、種々の方法が考えられる。もちろん、挿入表示部３２の表示方法はこれらの例に限られるものではなく、公知の任意の方法を採用することができる。また、挿入表示部３２を形成せずに構成してもよい。
【００３１】
固定装置１のケース２１内には、さらに、抑止部材３３が設けられている。この抑止部材３３は、図３に示したつまみ１３と連動しており、つまみ１３を左右に移動させることにより、抑止部材３３が出入りするように構成されている。抑止部材３３が突出した状態で、抑止部材３３の先端部が付勢部材２２の抑止部２７に当接、さらには抑止部２７を押圧する。
【００３２】
抑止部材３３が付勢部材２２の抑止部２７に当接、押圧した状態では、第１規制部２３及び第２規制部２４の動きが抑止される。そのため、落とし棒１２を上へ、あるいは下へ移動するように操作し、突起３１が第１規制部２３または第２規制部２４に当接しても、第１規制部２３または第２規制部２４は突起３１によって押しやられるような変形は生じず、従って突起３１が第１規制部２３あるいは第２規制部２４の凸部を通過することができず、落とし棒１２の移動が抑止されることになる。
【００３３】
例えば、突起３１が第１規制部２３よりも下に存在する場合に抑止部材３３を付勢部材２２の抑止部２７に当接あるいはさらに押圧した状態とすると、突起３１は第１規制部２３の凸部を越えて上へ移動することはできない。突起３１が第１規制部２３よりも下に存在する場合には、落とし棒１２が床面４の凹部５に嵌合している状態であるので、この状態が抑止部材３３によって維持される。よって、落とし棒が床面４の凹部５から抜けるのを防ぐことができ、中柱３が外れることはない。
【００３４】
また、例えば突起３１が第２規制部２４よりも上に存在する場合に抑止部材３３を付勢部材２２の抑止部２７に当接あるいはさらに押圧した状態とすると、突起３１は第２規制部２４の凸部を越えて下へ移動することはできない。これによって、落とし棒１２を引き上げた状態が維持され、多少の力が加わっても落とし棒１２が下がってしまうことがなくなる。これによって、例えば中柱３を建てる際に落とし棒１２が下がってしまって、中柱３の建て付けの作業に支障が出るなどの不具合を防止することができる。
【００３５】
なお、落とし棒１２が床面４の凹部５から外れるのを防ぐ意味から、上述の構成では、第１規制部２３及び下部付勢部２５と、これらにより落とし棒１２の動作を規制するために落とし棒１２に設けられている突起３１が備わっていればよく、他の構成については適宜設ければよい。
【００３６】
図４、図５は、本発明の固定装置の第１の実施の形態における動作の一例の説明図である。中柱３を建てる前には、固定装置１１は図１に示した状態にある。すなわち、落とし棒１２を引き上げ、落とし棒１２に設けられている突起３１が付勢部材２２の第２規制部２４よりも上に位置する状態となっている。この状態では、落とし棒１２は自重により下降しようとするが、突起３１が付勢部材２２の上部付勢部２６に当接して上方向の力を受け、落とし棒１２の下降が抑止される。また、第２規制部２４によって突起３１の下降が規制される。これらにより、中柱３を建てる際に落とし棒１２が下降していて邪魔になるなどといった不具合を回避することができる。なお、この状態では挿入表示部３２がケース２１より露出し、落とし棒１２が挿入されていないことを表示している。
【００３７】
図１では示していないが、抑止部材３３を付勢部材２２の抑止部２７に当接、押圧した状態にしておくとよい。このような状態にすることによって、第２規制部２４の動きが抑止され、落とし棒１２の突起３１が第２規制部２４を乗り越えられなくなる。例えば落とし棒１２を不用意に押し下げた場合や、振動や何らかの下方への圧力が落とし棒１２にかかった場合でも、落とし棒１２が降下して中柱３の建て付けに支障が生じるといった不具合を、抑止部材３３を用いない場合に比べて確実に防止することができる。
【００３８】
中柱３を建て付けた後、中柱３を床面４に固定する際には、抑止部材３３が付勢部材２２に当接、押圧した状態となっている場合には、つまみ１３をスライドさせて抑止部材３３の付勢部材２２との当接を解除しておく。そして落とし棒１２の先端が床面４の凹部５に挿入されるように位置を合わせ、落とし棒１２を押し下げる。
【００３９】
ある程度の力を加えて落とし棒１２を押し下げると、落とし棒１２の突起３１が付勢部材２２を押し、図４（Ａ）に示すように、付勢部材２２は内側に変形する。そして、落とし棒１２の突起３１は第２規制部２４を越えて下方へ移動することができる。落とし棒１２の端部は、上部位置４３よりも下方へ移動することになる。
【００４０】
さらに落とし棒１２を押し下げると、落とし棒１２の突起３１は第１規制部２３に当接する。この場合も、ある程度の力を加えて落とし棒１２を押し下げると、落とし棒１２の突起３１が付勢部材２２を押し、第２規制部２４を越えたときと同様に付勢部材２２は内側に変形する。そして、落とし棒１２の突起３１は第１規制部２３を越えて下方へ移動することができる。落とし棒１２の端部は、下部位置４２よりも下方へ移動することになる。この状態を図４（Ｂ）に示している。
【００４１】
なお、この状態では挿入表示部３２はケース２１内に存在しており、外部からは挿入表示部３２はケース２１に隠れて見えなくなっている。これによって、落とし棒１２が挿入されたことを表示している。落とし棒１２の先端が最下位置４１まで下がりきっていなくても、下部位置４２まで下がっていれば落とし棒１２と床面４の凹部５との嵌合が外れない位置関係であることから、挿入表示部２３は、落とし棒１２の先端が下部位置４２まで下がっていれば落とし棒１２は挿入された状態であることを表示するように構成しておけばよい。
【００４２】
落とし棒１２は、下部付勢部２５により下向きの力を受けるとともに、自重により下降しようとする。そのため、床面４の凹部５に支障がなければ、落とし棒１２の突起３１はケース２１の内部の下面まで降下し、また落とし棒１２の先端は最下位置４１まで下がり、中柱３は固定されることになる。
【００４３】
しかし、床面４の凹部５には土やゴミ等が溜まりやすく、このような滞留物が存在すると落とし棒１２を下げきれない場合がある。このような場合でも、落とし棒１２の突起３１が第１規制部２３よりも下に存在していれば、落とし棒１２が浮き上がって床面４の凹部５との嵌合が外れることはない。すなわち、図４（Ｂ）に示すように落とし棒１２の突起３１が付勢部材２２に当接した状態まで落とし棒１２が浮き上がった状態でも、落とし棒１２の突起３１は第１規制部２３によって上昇が規制される。また、落とし棒１２の突起３１は、下部付勢部２５に当接すると下方向の力を受け、落とし棒１２の上昇が抑止される。これらにより、落とし棒１２の先端が床面４の凹部５に下がりきっていない状態となっていても、落とし棒１２が床面４の凹部５から外れるのを防ぐことができる。
【００４４】
また、シャッターが振動や風圧、水圧などを受けた場合、中柱３とともに落とし棒１２が浮き上がろうとする場合がある。このような場合にも、落とし棒１２の突起３１は下部付勢部２５により下方向へ付勢されて浮き上がりが抑止され、さらに第１規制部２３によってそれ以上の上昇が規制される。これらにより、落とし棒１２の浮き上がりを防止し、落とし棒１２と床面４の凹部５との嵌合が外れるのを防ぐことができる。
【００４５】
さらに、図５に示すように、抑止部材３３を付勢部材２２の抑止部２７に当接、押圧した状態にしておくとよい。このような状態にすることによって、第１規制部２３の動きが抑止され、落とし棒１２の突起３１が第１規制部２３を乗り越えられなくなる。例えば、図４（Ｂ）の状態では、シャッターに強い振動や風圧、水圧などにより落とし棒１２の突起３１が付勢部材２２を押圧して変形させ、落とし棒１２の突起３１が第１規制部２３を越えて上昇してしまうことが考えられる。抑止部材３３を付勢部材２２の抑止部２７に当接、押圧した状態にしておけば、上述のような場合でも、抑止部材３３が付勢部材２２の変形を抑止することによって、落とし棒１２の突起３１が第１規制部２３を越えることがなく、落とし棒１２が床面４の凹部５から抜けてしまうのを確実に防ぐことができる。
【００４６】
中柱３を取り外す際には、上述の操作と逆の操作を行えばよい。例えば、つまみ１３をスライドさせて抑止部材３３を付勢部材２２に当接しない状態にした後、落とし棒１２を引き上げることにより、落とし棒１２の突起３１は付勢部材２２を変形させて第１規制部２３を乗り越え、さらに落とし棒１２を引き上げれば落とし棒１２の突起３１は付勢部材２２を変形させて第２規制部２４を乗り越えて上昇する。これによって図１に示した状態となり、落とし棒１２を放しても下降しない状態となる。この状態では、落とし棒１２の先端は床面４の凹部５から外れており、中柱３を取り外すことができる。
【００４７】
図６は、本発明の固定装置の第２の実施の形態を示す構成図である。図中の符号は上述の第１の実施の形態と同様であり、第１の実施の形態と異なる点を主に説明してゆく。図中、４５は中央位置である。この第２の実施の形態では、付勢部材２２の形状が異なっている。
【００４８】
第２の実施の形態における付勢部材２２は、第１の実施の形態とは形状が異なっている。付勢部材２２には第１規制部２３及び第２規制部２４となる突起が形成されており、この第１規制部２３から第２規制部２４までについて凸状の円弧状に形成され、抑止部２７となる。ケース２１の下壁に固定された部分から第１規制部２３まで、及び、ケース２１の上壁に固定された部分から第２規制部２４までについても凸の円弧状に形成されており、全体として、ケース２１の下壁から上壁までが第１規制部２３及び第２規制部２４を除いて円弧状となるように形成されている。
【００４９】
このような形状の付勢部材２２では、その中央部（抑止部２７の中央部）より下の部分が下部付勢部２５となり、落とし棒１２が中央位置４５付近よりも下方に存在する場合に、落とし棒１２に下方への力を加える。また、付勢部材２２の中央部（抑止部２７の中央部）より上の部分が上部付勢部２６となり、落とし棒１２が中央位置４５付近よりも上方に存在する場合に、落とし棒１２に上方への力を加える。このように、この第２の実施の形態では付勢部材２２の中央部付近を境にして、下部では落とし棒１２に下方向の力を加え、上部では落とし棒１２に上方向の力を加えることになる。
【００５０】
図７、図８は、本発明の固定装置の第２の実施の形態における動作の一例の説明図である。図４，図５を用いて説明した第１の実施の形態における動作の一例と重複する説明については省略することがある。中柱３を建てる前には、固定装置１１は図６に示した状態にあり、落とし棒１２が引き上げられて落とし棒１２に設けられている突起３１が付勢部材２２の第２規制部２４よりも上に位置する状態となっている。この状態は第１の実施の形態での説明と同様である。
【００５１】
なお、この例においても、この状態では挿入表示部３２がケース２１より露出し、落とし棒１２が挿入されていないことを表示している。また、抑止部材３３を付勢部材２２の抑止部２７に当接、押圧した状態にしておくとよい。このような状態にすることによって、上部付勢部２６による上方への付勢力が増すとともに、第２規制部２４の動きが抑止され、落とし棒１２の突起３１が第２規制部２４を乗り越えられなくなる。例えば落とし棒１２を不用意に押し下げた場合や、振動や何らかの下方への圧力が落とし棒１２にかかった場合でも、落とし棒１２が降下して中柱３の建て付けに支障が生じるといった不具合を、抑止部材３３を用いない場合に比べて確実に防止することができる。
【００５２】
中柱３を建て付けた後、中柱３を床面４に固定する際には、抑止部材３３が付勢部材２２に当接、押圧した状態となっている場合には、つまみ１３をスライドさせて抑止部材３３の付勢部材２２との当接を解除しておく。そして落とし棒１２の先端が床面４の凹部５に挿入されるように位置を合わせ、落とし棒１２を押し下げる。
【００５３】
ある程度の力を加えて落とし棒１２を押し下げると、落とし棒１２の突起３１が付勢部材２２を押し、付勢部材２２は内側に変形する。そして、落とし棒１２の突起３１は第２規制部２４を越えて下方へ移動することができる。落とし棒１２の端部は、上部位置４３よりも下方へ移動することになる。
【００５４】
落とし棒１２の突起３１が第２規制部２４を越えた後も、落とし棒１２の先端が中央位置４５付近よりも上方に位置し、図７（Ａ）に示すように落とし棒１２の突起３１が付勢部材２２の中央部付近よりも上部にある間は、上部付勢部２６による上方への力が働き、落とし棒１２を上方へ戻そうとする。そして、落とし棒１２の先端が中央位置４５付近よりも下方へ下がり、図７（Ｂ）に示すように落とし棒１２の突起３１が付勢部材２２の中央部付近よりも下部にあると、今度は下部付勢部２５による下方への力が働き、落とし棒１２は下方へ付勢されることになる。なお、図７には付勢部材２２と落とし棒１２の突起３１との関係を拡大して示している。
【００５５】
このように、この第２の実施の形態では第１規制部２３と第２規制部２４との間に落とし棒１２の突起３１が存在している場合でも、なるべく、上方あるいは下方へ落とし棒１２を付勢する。これによって、落とし棒１２を上方へ付勢した場合には、落とし棒１２の先端がなるべく上部位置４３に近づくようにして、なるべく落とし棒１２が引き抜かれた状態を維持する。また、落とし棒１２を下方へ付勢した場合には、落とし棒１２の先端がなるべく下部位置４２に近づくようにして、なるべく落とし棒１２が床面４の凹部５に挿入された状態となるようにしている。
【００５６】
さらに落とし棒１２を押し下げると、落とし棒１２の突起３１が付勢部材２２を押し、第２規制部２４を越えたときと同様に付勢部材２２は内側に変形して、落とし棒１２の突起３１は第１規制部２３を越えて下方へ移動する。落とし棒１２の端部は、下部位置４２よりも下方へ移動することになる。この状態を図８（Ａ）に示している。なお、この状態では挿入表示部３２はケース２１内に存在しており、外部からは挿入表示部３２はケース２１に隠れて見えなくなっている。これにより、落とし棒１２が挿入されたことを表示している。
【００５７】
落とし棒１２は、下部付勢部２５により下向きの力を受けるとともに、自重により下降しようとすることから、床面４の凹部５に支障がなければ、落とし棒１２の突起３１はケース２１の内部の下面まで降下し、また落とし棒１２の先端は最下位置４１まで下がり、中柱３は固定されることになる。
【００５８】
床面４の凹部５に滞留物が存在し、あるいはシャッターが振動や風圧、水圧などを受けた場合、落とし棒１２が浮き上がってしまう場合がある。例えば図８（Ａ）に示すように落とし棒１２の突起３１が付勢部材２２に当接した状態まで落とし棒１２が浮き上がってしまう場合でも、落とし棒１２の突起３１は第１規制部２３によって上昇が規制される。また、落とし棒１２の突起３１は、下部付勢部２５に当接すると下方向の力を受け、落とし棒１２の上昇が抑止される。これらにより、落とし棒１２の先端が床面４の凹部５に下がりきっていない状態でも、落とし棒１２の突起３１が第１規制部２３よりも下に存在していれば、落とし棒１２が浮き上がって床面４の凹部５との嵌合が外れるのを防ぐことができ、中柱３が固定された状態を維持することができる。
【００５９】
さらに、図８（Ｂ）に示すように、抑止部材３３を付勢部材２２の抑止部２７に当接、押圧した状態にしておくとよい。このような状態にすることによって、第１規制部２３の動きが抑止され、落とし棒１２の突起３１が第１規制部２３を乗り越えられなくなる。これにより、シャッターに強い振動や風圧、水圧などがかかっても、落とし棒１２が床面４の凹部５から抜けてしまうのを確実に防ぐことができる。
【００６０】
中柱３を取り外す際には、上述の操作と逆の操作を行えばよい。例えば、つまみ１３をスライドさせて抑止部材３３を付勢部材２２に当接しない状態にした後、落とし棒１２を引き上げることにより、落とし棒１２の突起３１は付勢部材２２を変形させて第１規制部２３を乗り越え、さらに落とし棒１２を引き上げれば落とし棒１２の突起３１は付勢部材２２を変形させて第２規制部２４を乗り越えて上昇する。これによって図６に示した状態となり、落とし棒１２を放しても下降しない状態となる。この状態では、落とし棒１２の先端は床面４の凹部５から外れており、中柱３を取り外すことができる。
【００６１】
この第２の実施の形態では、落とし棒１２の突起３１が第１規制部２３と第２規制部２４の中間に位置した場合でも、中央付近よりも上であれば上部付勢部２６により落とし棒１２は上方に付勢され、中央付近よりも下であれば下部付勢部２５により落とし棒１２は下方に付勢される。そのため、落とし棒１２は引き上げられた状態か、あるいは床面４の凹部５に挿入された状態かの、いずれかの状態を取ることになる。これによって、利用者が中途半端な落とし棒１２の操作を行った場合でも、落とし棒１２をいずれかの状態にすることができる。
【００６２】
図９は、本発明の固定装置の第３の実施の形態を示す構成図である。図中の符号は上述の第１、第２の実施の形態と同様であり、第１、第２の実施の形態と異なる点を主に説明してゆく。
【００６３】
この第３の実施の形態では、付勢部材２２として、全体の形状としては第２の実施の形態で用いた付勢部材２２に類似した形状のものを用いている。しかし、この第３の実施の形態では、第２の実施の形態では付勢部材２２に設けていた第１規制部２３及び第２規制部２４を設けておらず、第１規制部２３や第２規制部２４の機能を抑止部材３３が兼ねる構成としている。すなわち、抑止部材３３を付勢部材２２に当接、押圧した状態とし、その抑止部材３３と付勢部材２２との当接部が落とし棒１２の突起３１の移動経路を遮る位置となっていると、落とし棒１２の突起３１は抑止部材３３と付勢部材２２との当接部を越えて移動することができない。これによって、落とし棒１２の突起３１を上昇させない第１規制部２３の機能を果たし、また、落とし棒１２の突起３１を下降させない第２規制部２４の機能を果たすことができる。
【００６４】
本発明の固定装置の第３の実施の形態における動作の一例について説明する。図４、図５、図７、図８を用いて説明した第１、第２の実施の形態における動作の一例と重複する説明については省略することがある。中柱３を建てる前には、固定装置１１は図９（Ａ）に示した状態にあり、落とし棒１２が引き上げられて、落とし棒１２の突起３１が付勢部材２２の上部付勢部２６に位置する状態となっている。この状態で、突起３１は上部付勢部２６により上向きの力が付勢されており、落とし棒１２は引き上げられた状態を維持している。なお、この状態では挿入表示部３２がケース２１の外側へ露出し、落とし棒１２が挿入されていないことを表示している。
【００６５】
もちろん、抑止部材３３を付勢部材２２の抑止部２７に当接、押圧した状態にしておくことによって、落とし棒１２の突起３１が下方へ移動する経路を遮断し、落とし棒１２に振動や何らかの下方への圧力がかかった場合でも、落とし棒１２が降下して中柱３の建て付けに支障が生じるといった不具合を防ぐことができる。
【００６６】
中柱３を建て付けた後、中柱３を床面４に固定する際には、抑止部材３３が付勢部材２２に当接、押圧した状態となっている場合には、つまみ１３をスライドさせて抑止部材３３の付勢部材２２との当接を解除しておく。そして落とし棒１２の先端が床面４の凹部５に挿入されるように位置を合わせ、落とし棒１２を押し下げる。
【００６７】
ある程度の力を加えて落とし棒１２を押し下げると、落とし棒１２の突起３１が付勢部材２２を押し、付勢部材２２は内側に変形する。そして、付勢部材２２の中央部付近を通過すると、今度は下部付勢部２５が落とし棒１２の突起３１に対して下方への圧力を付勢し、落とし棒１２を押し下げる。また、落とし棒１２の自重により下降しようとする。これによって、床面４の凹部５に支障がなければ、落とし棒１２の突起３１はケース２１の内部の下面まで降下し、また落とし棒１２の先端は最下位置４１まで下がり、中柱３が固定されることになる。なお、この状態では挿入表示部３２はケース２１内に存在しており、外部からは挿入表示部３２はケース２１に隠れて見えなくなっている。これにより、落とし棒１２が挿入されたことを表示している。
【００６８】
さらに、つまみ１３をスライドさせ、抑止部材３３を付勢部材２２に当接、押圧した状態にしておく。この状態を図９（Ｂ）に示している。このような状態にすることによって、落とし棒１２の突起３１の移動経路が遮断され、突起３１が上方へ移動するのを規制することができる。
【００６９】
例えば床面４の凹部５に滞留物が存在し、あるいはシャッターが振動や風圧、水圧などを受けた場合、落とし棒１２が浮き上がってしまう場合がある。図９（Ｂ）でも、ある程度、落とし棒１２の突起３１が浮き上がった状態を示している。このような状態でも、上述のように抑止部材３３を付勢部材２２に当接、押圧しておけば、落とし棒１２の突起３１が上方へ移動することはないし、下部付勢部２５が落とし棒１２の突起３１を下方へ押すことにより、落とし棒１２と床面４の凹部５との嵌合が外れることはない。これらにより、落とし棒１２の先端が床面４の凹部５に下がりきっておらず、あるいは浮き上がった状態でも、落とし棒１２が床面４の凹部５から外れるのを防ぐことができ、中柱３が固定された状態を維持することができる。
【００７０】
中柱３を取り外す際には、上述の操作と逆の操作を行えばよい。例えば、つまみ１３をスライドさせて抑止部材３３を付勢部材２２に当接しない状態にした後、落とし棒１２を引き上げることにより、落とし棒１２の突起３１は付勢部材２２を変形させ、付勢部材２２の中央部付近を通過させれば、上部付勢部２６により上方への力が付勢され、図９（Ａ）に示す状態になる。この状態でも、落とし棒１２を放しても下降しないが、さらにつまみ１３をスライドさせて抑止部材３３を付勢部材２２に当接、押圧しておけば、落とし棒１２が下降することはない。また、この状態では、落とし棒１２の先端は床面４の凹部５から外れており、中柱３を取り外すことができる。
【００７１】
この第３の実施の形態では、上述のように抑止部材３３が第１規制部２３や第２規制部２４の機能を兼ねている。付勢部材２２に第１規制部２３や第２規制部２４を設けていないことから、付勢部材２２として用いている板バネの弾性力だけでは、落とし棒１２の浮き上がりを抑えることができない場合も想定されるが、抑止部材３３の第１規制部２３や第２規制部２４の機能によって、落とし棒１２の上昇あるいは下降が確実に規制されることになる。
【００７２】
このように落とし棒１２の突起３１の上方または下方への移動を確実に規制するためには、抑止部材３３を付勢部材２２に当接、圧接する操作を行う必要がある。その反面、付勢部材２２は第１、第２の実施の形態に比べて単純な形状となり、製造コストを低減することができるという利点もある。
【００７３】
図１０は、本発明の固定装置の第４の実施の形態を示す構成図である。図中の符号は上述の第１〜第３の実施の形態と同様であり、第１〜第３の実施の形態と異なる点を主に説明してゆく。５１は上蓋部、５２は中蓋部、５３はコイルバネ、５４は回動軸である。この第４の実施の形態では、付勢部材２２としてコイルバネ５３を用いる例を示している。機能的には、上述の第３の実施の形態と類似している。
【００７４】
この第４の実施の形態における付勢部材２２は、上蓋部５１と中蓋部５２の内部に、圧縮されたコイルバネ５３を有している。上蓋部５１は、回動軸５４において回動自在にケース２１に軸支されている。この回動軸５４は、その垂直方向の位置が、落とし棒１２の突起３１の移動範囲の中央部付近となるように設けられているとよい。
【００７５】
また、中蓋部５２は回動自在に落とし棒１２の突起３１に係止されており、上蓋部５１の内側に嵌入されていて、上蓋部５１の内部方向と外方向に直線的な移動が可能に構成されている。
【００７６】
圧縮されたコイルバネ５３は、上蓋部５１と中蓋部５２の内部に圧縮された状態で収納されており、その弾性力によって、一方で上蓋部５１を回動軸５４へ向けて押し、他方で中蓋部５２を回動軸となる落とし棒１２の突起３１へ向けて押している。
【００７７】
なお、上述の第３の実施の形態と同様に、この第４の実施の形態でも、抑止部材３３が第１、第２の実施の形態で設けていた第１規制部２３の機能を兼ねている。すなわち、つまみ１３をスライドさせて抑止部材３３を付勢部材２２が回動する範囲に突出させておくと、付勢部材２２の回動が抑止され、これによって落とし棒１２の上昇が規制され、第１規制部２３の機能を果たすことになる。
【００７８】
本発明の固定装置の第４の実施の形態における動作の一例について説明する。図４、図５、図７、図８、図９を用いて説明した第１〜第３の実施の形態における動作の一例と重複する説明については省略することがある。中柱３を建てる前には、固定装置１１は図１０（Ａ）に示した状態にあり、落とし棒１２が引き上げられて、落とし棒１２の突起３１が上蓋部５１の回動軸５４よりも上に位置する状態となっている。この状態では、コイルバネ５３の弾性力により中蓋部５２が押され、その力が突起３１に伝わって、落とし棒１２には上向きの力が働くことになる。この上向きの力によって、落とし棒１２は引き上げられた状態を維持している。なお、この状態では挿入表示部３２がケース２１の外に露出し、落とし棒１２が挿入されていないことを表示している。また、この状態では抑止部材３３は引っ込めた状態としておく。
【００７９】
中柱３を建て付けた後、中柱３を床面４に固定する際には、落とし棒１２の先端が床面４の凹部５に挿入されるように位置を合わせ、落とし棒１２を押し下げる。ある程度の力を加えて落とし棒１２を押し下げると、落とし棒１２の突起３１が下がるとともに、付勢部材２２全体が回動軸５４を中心として回動する。その際に、回動軸５４と突起３１との距離が徐々に縮まり、中蓋部５２が上蓋部５１の内部に入り、コイルバネ５３が縮められる。すなわち、落とし棒１２が引き上げられた状態から下降してゆくと、ある程度までは、コイルバネ５３が縮められて、その弾性力により次第に落とし棒１２に働く上向きの力が大きくなる。これによって、引き上げられた落とし棒１２が不用意に下降しないようにしている。落とし棒１２を押し下げる際には、このコイルバネ５３の弾性力以上の力で押し下げることになる。
【００８０】
さらに落とし棒１２を押し下げてゆき、落とし棒１２の突起３１の位置が回動軸５４と水平となる位置を過ぎると、今度はコイルバネ５３による弾性力は落とし棒１２に対して下向きに働く。これによって落とし棒１２は下方へ付勢されて下降してゆき、床面４の凹部３に落とし棒１２が挿入され、嵌合することになる。
【００８１】
床面４の凹部５に支障がなければ、落とし棒１２の突起３１はケース２１の内部の下面まで降下し、また落とし棒１２の先端は最下位置４１まで下がり、中柱３が固定されることになる。なお、この状態では挿入表示部３２はケース２１内に存在しており、外部からは挿入表示部３２はケース２１に隠れて見えなくなっている。これにより、落とし棒１２が挿入されたことを表示している。
【００８２】
例えば床面４の凹部５に滞留物が存在し、あるいはシャッターが振動や風圧、水圧などを受けた場合、落とし棒１２が浮き上がってしまう場合がある。このような場合には、落とし棒１２の突起３１が上がるとともに、付勢部材２２全体が回動軸５４を中心として回動する。その際に、回動軸５４と突起３１との距離が徐々に縮まり、中蓋部５２が上蓋部５１の内部に入り、コイルバネ５３が縮められる。そのため、コイルバネ５３の弾性力が増し、落とし棒１２には下向きの力が大きくなる。これによって、落とし棒１２が浮き上がろうとする場合でも、落とし棒１２と床面４の凹部５との嵌合が外れにくいようにしている。
【００８３】
落とし棒１２を押し下げて、落とし棒１２と床面４の凹部５とが嵌合した後、さらに、つまみ１３をスライドさせて抑止部材３３を突出させる。この状態を図１０（Ｂ）に示している。このような状態にすることによって、付勢部材２２が回動しようとすると、付勢部材２２の上蓋部５１が突出されている抑止部材３３に当接し、付勢部材２２の回動が抑止される。例えばシャッターが大きな振動や強い風圧、水圧などを受けて落とし棒１２が上昇しようとした場合、落とし棒１２の突起３１に連動する付勢部材２２の回動が抑止部材３３によって抑止される。これによって、落とし棒１２の上昇は確実に阻止されて、中柱３が固定された状態を維持することができる。
【００８４】
中柱３を取り外す際には、上述の操作と逆の操作を行えばよい。例えば、つまみ１３をスライドさせて抑止部材３３を引っ込めた後、落とし棒１２を引き上げる。落とし棒１２の突起３１の位置が回動軸５４と水平となる位置までは、コイルバネ５３が圧縮されることにより落とし棒１２に対して下向きの力が働くが、この位置を過ぎると、コイルバネ５３による弾性力は落とし棒１２に対して上向きに働いて、図１０（Ａ）に示すような落とし棒１２は引き上げられた状態となる。この状態では、落とし棒１２の先端は床面４の凹部５から外れており、中柱３を取り外すことができる。
【００８５】
この第４の実施の形態では、付勢部材２２としてコイルバネ５３を用いる例を示した。コイルバネ５３の弾性力だけでは、落とし棒１２の浮き上がりを抑えることができない場合も想定されるが、抑止部材３３が第１規制部２３として機能し、床面４の凹部５と嵌合している落とし棒１２の上昇が確実に規制されることになる。
【００８６】
なお、図１０に示した第４の実施の形態の構成では、抑止部材３３を１つ設けた例を示しているが、２つ設ければ、一方を落とし棒１２を引き上げた状態で下降しないように規制する第２規制部２４として機能させることができる。
【００８７】
以上、本発明の固定装置の実施の形態について、いくつか示した。もちろん、本発明はこれらの実施の形態に限られるものではなく、発明の要旨を変更しない範囲において種々の変形が可能である。一例としては、抑止部材３３はスライドさせる構造に限らず、ボタンの押下により突出する構造など、第１から第３の実施の形態では板バネの変形を抑制できればよいし、第４の実施の形態では付勢部材２２の回動を抑制できれば、任意の構造であってよい。そのほかにも、特許文献１，特許文献２に記載されているような、シャッターを閉めることでロックされる構成を併用するなど、種々の変形が可能である。
【符号の説明】
【００８８】
１…シャッターカーテン、２…ガイドレール、３…中柱、４…床面、５…凹部、１１…固定装置、１２…落とし棒、１３…つまみ、２１…ケース、２２…付勢部材、２３…第１規制部、２４…第２規制部、２５…下部付勢部、２６…上部付勢部、２７…抑止部、３１…突起、３２…挿入表示部、３３…抑止部材、４１…最下位置、４２…下部位置、４３…上部位置、４４…最上位置、４５…中央位置、５１…上蓋部、５２…中蓋部、５３…コイルバネ、５４…回動軸。
【図１】
2018071226.tif 000003
【図２】
2018071226.tif 000004
【図３】
2018071226.tif 000005
【図４】
2018071226.tif 000006
【図５】
2018071226.tif 000007
【図６】
2018071226.tif 000008
【図７】
2018071226.tif 000009
【図８】
2018071226.tif 000010
【図９】
2018071226.tif 000011
【図１０】
2018071226.tif 000012